(57)【要約】【課題】特殊景品に内蔵した非接触ＩＣタグの情報を一括して読み取ることにより、迅速に且つ正確に換金業務をおこなうことができる景品交換システムを提供する。【解決手段】景品読取装置１ａは、景品のそれぞれに設けられた非接触ＩＣタグ１０の価値情報を一括して読み取る景品価値情報読取部３１と、景品の個数を一括して読み取る景品個数情報読取部３２とを有するアンテナ装置３０と、このアンテナ装置３０による景品情報の読み取り結果に基づいて、景品の種類および個数を算出する景品情報算出部３５とを備え、取得した景品の価値情報、景品の個数情報に基づいて、換金額を算出する。【選択図】      図２
2004351087.tif 000002
【特許請求の範囲】
【請求項１】
複数の景品を識別することにより、景品情報を取得する景品読取装置を備え、当該景品読取装置により取得された景品情報に基づいて換金をおこなう景品交換システムであって、
前記景品の内部には、当該景品の種類に対応するとともに、それぞれ価値情報が関連付けられた非接触ＩＣタグが設けられ、
前記景品読取装置は、
前記景品のそれぞれに設けられた非接触ＩＣタグの価値情報を一括して読み取る景品価値情報読取手段と、
前記景品の個数を一括して読み取る景品個数読取手段と、
を有するアンテナ装置と、
前記アンテナ装置による景品情報の読み取り結果に基づいて、景品の種類および個数を算出する景品情報算出手段と、
を備えることを特徴とする景品交換システム。
【請求項２】
前記アンテナ装置は、景品の受け渡し位置に設けられるとともに、受け渡し途中に、前記アンテナ装置による景品情報の読み取りがおこなわれることを特徴とする請求項１に記載の景品交換システム。
【請求項３】
前記景品の総重量を実際に計測する景品重量計測手段と、当該景品計測手段により計測された景品の総重量に基づいて、景品個数を算出する景品個数換算手段と、当該景品個数換算手段により算出された第一の景品個数情報と前記景品情報算出手段により算出された第二の景品個数情報とを比較する景品個数比較手段とをさらに備えることを特徴とする請求項１または２に記載の景品交換システム。
【請求項４】
前記第一の景品個数情報と第二の景品個数情報とが一致しない場合に、景品に異常があると判定する景品異常判定手段をさらに備えることを特徴とする請求項３に記載の景品交換システム。
【請求項５】
前記景品の種類別に各景品毎の重量を設定する景品重量設定手段と、前記景品個数読取手段により算出された景品の個数に基づいて、景品の総重量を算出する景品重量換算手段と、前記景品の総重量を実際に計測する景品重量計測手段と、前記景品重量換算手段により算出された景品重量を第一の景品重量とし、前記景品重量計測手段により計測された景品重量を第二の景品重量とし、これら第一の景品重量と第二の景品重量との比較をおこなう景品重量比較手段と、当該景品重量比較手段による比較結果に基づいて実際の景品個数を算出する実景品個数算出手段とをさらに備えることを特徴とする請求項１または２に記載の景品交換システム。
【請求項６】
前記第一の景品重量と第二の景品重量との差異に基づいて、異常景品の種類を特定する異常景品特定手段とをさらに備えることを特徴とする請求項５に記載の景品交換システム。
【請求項７】
前記景品読取装置により読み取った景品の種類、景品の個数、景品情報により算出される換金合計金額を表示する表示手段をさらに備えたことを特徴とする請求項１〜６のいずれか一つに記載の景品交換システム。
【請求項８】
前記景品情報算出手段により算出された景品情報に基づいて、換金額の算出および出金をおこなう現金出金機をさらに備えることを特徴とする請求項１〜７のいずれか一つに記載の景品交換システム。
【発明の詳細な説明】
【０００１】
【発明の属する技術分野】
本発明は、パチンコ遊技などの特殊景品として利用される景品を景品交換所において、換金する際の景品交換システムに関し、特に、景品交換所における換金処理時間の短縮を迅速且つ正確におこなうことができる景品交換システムに関する。
【０００２】
【従来の技術】
一般に、パチンコ遊技で獲得した玉数により、遊技客は換金対象となる特殊景品（以下、単に『景品』という）と交換をおこなうことができる。遊技店では、遊技客が獲得した玉数に対応する、数種類の景品（例えば、大景品、中景品、小景品）を用意しており、これら数種類の景品には予め価値情報（例えば、５０００円、２５００円、１０００円）が関連付けられたバーコードが印刷されている。遊技客は、この景品を景品交換所に持参することにより換金をおこなうことができる。
【０００３】
図１４は、従来における景品交換システムおよび景品読取装置１の概略構成を示す図である。すなわち、景品交換システムは、景品に付与（印刷）されたバーコードを読み取る景品読取装置１と、この景品読取装置１により読み取られたバーコード情報（価値情報）に基づいて、換金額を算出する現金出金機３および入出金管理機２（ＰＯＳ）とにより構成されている。
【０００４】
景品読取装置１は、複数の景品が載置される繰出し部４、景品に印刷されたバーコードを読み取る識別部５、搬送部６、景品収納部７とにより構成されており、繰出し部４にセットされた複数の景品は、モータにより駆動される押出片により、１枚ずつ繰り出され、搬送部６により搬送中に識別部５によりバーコードの読み取りがおこなわれた後、それぞれの価値情報に分類され所定の景品収納部７に順次収納される。以下、１回の取引分の収納が完了すると、係員による手動操作（または、自動）により、現金出金機３による出金（換金）がおこなわれるものとなる。このような、景品のバーコード（印刷情報）を読み取ることにより景品情報を取得する技術については、例えば、特許文献１に記載されている。
【０００５】
【特許文献１】
特開平６−７９０５２号公報
【０００６】
【発明が解決しようとする課題】
ところが、上述した従来の景品交換システムにおける景品読取装置によると以下のような問題がある。すなわち、前述したように景品読取装置による景品の読み取りは、１枚ずつ景品のバーコードを読み取る構成であるため、景品交換所においての読み取り作業（換金処理）に時間がかかってしまい換金作業を迅速におこなうことができないという問題がある。また、景品読取装置１に景品の繰り出しや分類などの機構が必要なため、装置自体が大型化となり、景品交換所の省スペース化を図ることができないという問題があった。
【０００７】
この発明は、上述した従来技術による問題点を解決するためになされたもので、特殊景品に価値情報を内蔵した非接触ＩＣタグを設け、この非接触ＩＣタグ内の景品情報を一括して読み取ることにより、迅速且つ正確に換金業務をおこなうことができる景品交換システムを提供するものである。
【０００８】
【課題を解決するための手段】
上述した課題を解決し、目的を達成するため、請求項１に記載の発明は、複数の景品を識別することにより、景品情報を取得する景品読取装置を備え、当該景品読取装置により取得された景品情報に基づいて換金をおこなう景品交換システムであって、前記景品の内部には、当該景品の種類に対応するとともに、それぞれ価値情報が関連付けられた非接触ＩＣタグが設けられ、前記景品読取装置は、前記景品のそれぞれに設けられた非接触ＩＣタグの価値情報を一括して読み取る景品価値情報読取手段と、前記景品の個数を一括して読み取る景品個数読取手段と、を有するアンテナ装置と、前記アンテナ装置による景品情報の読み取り結果に基づいて、景品の種類および個数を算出する景品情報算出手段と、を備えることを特徴とする。
【０００９】
また、請求項２に記載の発明は、請求項１に記載の発明において、前記アンテナ装置は、景品の受け渡し位置に設けられるとともに、受け渡し途中に、前記アンテナ装置による景品情報の読み取りがおこなわれることを特徴とする。
【００１０】
また、請求項３に記載の発明は、請求項１または２に記載の発明において、前記景品の総重量を実際に計測する景品重量計測手段と、当該景品計測手段により計測された景品の総重量に基づいて、景品個数を算出する景品個数換算手段と、当該景品個数換算手段により算出された第一の景品個数情報と前記景品情報算出手段により算出された第二の景品個数情報とを比較する景品個数比較手段とをさらに備えることを特徴とする。
【００１１】
また、請求項４に記載の発明は、請求項３に記載の発明において、前記第一の景品個数情報と第二の景品個数情報とが一致しない場合に、景品に異常があると判定する景品異常判定手段をさらに備えることを特徴とする。
【００１２】
また、請求項５に記載の発明は、請求項１または２に記載の発明において、前記景品の種類別に各景品毎の重量を設定する景品重量設定手段と、前記景品個数読取手段により算出された景品の個数に基づいて、景品の総重量を算出する景品重量換算手段と、前記景品の総重量を実際に計測する景品重量計測手段と、前記景品重量換算手段により算出された景品重量を第一の景品重量とし、前記景品重量計測手段により計測された景品重量を第二の景品重量とし、これら第一の景品重量と第二の景品重量との比較をおこなう景品重量比較手段と、当該景品重量比較手段による比較結果に基づいて実際の景品個数を算出する実景品個数算出手段とをさらに備えることを特徴とする。
【００１３】
また、請求項６に記載の発明は、請求項５に記載の発明において、前記第一の景品重量と第二の景品重量との差異に基づいて、異常景品の種類を特定する異常景品特定手段とをさらに備えることを特徴とする。
【００１４】
また、請求項７に記載の発明は、請求項１〜６のいずれか一つに記載の発明において、前記景品読取装置により読み取った景品の種類、景品の個数、景品情報により算出される換金合計金額を表示する表示手段をさらに備えたことを特徴とする。
【００１５】
また、請求項８に記載の発明は、請求項１〜７のいずれか一つに記載の発明において、前記景品情報算出手段により算出された景品情報に基づいて、換金額の算出および出金をおこなう現金出金機をさらに備えることを特徴とする。
【００１６】
【発明の実施の形態】
以下に添付図面を参照して、この発明に係る景品交換システムの好適な実施の形態を詳細に説明する。なお、以下に示す実施の形態では、本発明の景品交換システムをパチンコ遊技やスロット遊技における景品交換システムに適用した場合を示すこととする。
【００１７】
（実施の形態１）
図１は、実施の形態１に係る景品交換システムの概要を示す説明図、図２は、景品交換システムの全体機能ブロック図をそれぞれ示している。また、図３（ａ）は、非接触ＩＣタグの構成を示す平面図、図３（ｂ）は、断面図をそれぞれ示している。先ず、図１を参照して景品交換システムの概要を説明する。
【００１８】
ここで、本実施の形態１における景品交換システムの特徴は、遊技客が景品交換所に持参した景品（非接触ＩＣタグ）を一括してアンテナ装置により読み取り、この読み取りにより景品情報（景品の価値情報、景品の枚数情報）を取得し、この取得結果に基づいて換金額を算出することにある。
【００１９】
このため、各景品の内部には、複数の価値情報（例えば、大景品は５０００円、中景品は２５００円、小景品は１０００円）を記憶させた非接触ＩＣタグ１０が内蔵されている。一方、景品交換所には非接触ＩＣタグ１０内に書き込まれた景品情報を読み取るためのアンテナ装置３０が据置されている。
【００２０】
すなわち、図１に示すように、景品交換所は、景品用窓口２０（仕切り板）により区分されており、景品用窓口２０の内部（図１の左側）は遊技客から景品を受け取り換金業務をおこなう係員の待機室（景品交換室）となり、景品用窓口の外部（図１の右側）は遊技客が景品を持参する場所となっている。景品用窓口２０には、景品を受け渡すための開口部２１が設けられており、この開口部２１を介する位置に景品運搬箱２５が据置されている。
【００２１】
景品運搬箱２５は、内部に景品が載置された際に、搬送機構２６（図２）により係員側（図１の左側）に移動する構成となっている。ここで、通常、遊技客が持参する景品は１個単位ではなく複数種類の景品（大景品、中景品、小景品）が混在した状態（複数枚積まれた状態）で景品運搬箱２５に入れられるものとなる。
【００２２】
アンテナ装置３０は、景品用窓口２０の内側部分の位置（開口部２１の周囲）に据置されている。３６は、換金をおこなう遊技客に対して、例えば、「いらっしゃいませ」などのメッセージが表示される表示部、３７は、音声などにより、上記メッセージが報知されるスピーカ（図２）である。
【００２３】
アンテナ装置３０（ＲＦＩＤアンテナ）は無線電波を送信するとともに、非接触ＩＣタグ１０のＩＣチップ１３（図３）内に記憶されたデータを読み取る機能を備えている。このアンテナ装置には、従来から使用されているトンネル型のアンテナ装置３０を採用している。このため、本例では、景品運搬箱２５が開口部２１を通過した際に、アンテナ装置３０により景品に対する景品情報の読み取りがおこなわれるものとなる。
【００２４】
以下、図２を参照して景品読取装置１ａの詳細を説明する。図２は、本発明に係る景品読取装置１ａ機能ブロック図を示している。すなわち、図２に示すように、景品読取装置１ａは、景品価値情報読取部３１、景品個数情報読取部３２、景品情報記憶テーブル３４、景品情報算出部３５とを備えている。景品価値情報読取部３１は、複数の景品のそれぞれに設けられた非接触ＩＣタグ１０の価値情報を一括して読み取る機能を有している。
【００２５】
景品個数情報読取部３２は、複数の景品のそれぞれに設けられた非接触ＩＣタグ１０により景品の個数を一括して読み取る機能を有している。景品情報記憶テーブル３４は、景品価値情報読取部３１および景品個数情報読取部３２により取得された各景品の価値情報および個数情報を格納する機能を有している。景品情報算出部３５は、景品価値情報読取部３１および景品個数情報読取部３２により取得された景品の種類と個数を算出する機能を有している。
【００２６】
一方、現金出金機３は、操作部３ａ、景品情報算出部３５により算出された景品の価値情報、景品の個数情報に基づいて現金の出金処理をおこなう出金制御部３ｂ、換金額を表示する表示部３ｃとを備えている。
【００２７】
ここで、図３を参照して非接触ＩＣタグ１０（ＲＦＩＤ：ＲａｄｉｏＦｒｅｑｕｅｎｃｙ  ＩＤｅｎｔｉｆｉｃａｔｉｏｎ）について説明する。図３（ａ）は、非接触ＩＣタグの構成を示す斜視図、図３（ｂ）は、断面図をそれぞれ示している。非接触ＩＣタグ１０は、アンテナ装置３０（ＲＦＩＤアンテナ）に近接した際に、このアンテナ装置３０から送信される無線電波を受信し、この受信した無線電波により動作用電力を起動させることができる。ＩＣチップ１３内部に記憶されているデータに応じて変化させた反射波を発生させ、無線電波の送信源に対して記憶されているデータを読み取る機能を備えている。
【００２８】
すなわち、図３（ａ）、（ｂ）に示すように、非接触ＩＣタグ１０は、シート状の表面基材１５の裏面に、アンテナ回路１４のパターンが金属ペーストなどによる印刷で直接形成されるとともに、アンテナ回路１４を用いた無線通信及び情報の記憶をおこなうＩＣチップ１３（メモリ）が搭載されている。また、表面基材１５の裏面には、アンテナ回路１４及びＩＣチップ１３を覆う保護シート１６が粘着材１７により貼着されている。
【００２９】
そして、本例では、各景品に内蔵された非接触ＩＣタグ１０のＩＣチップ１３内（メモリ）に識別ＩＤがそれぞれ付与されるとともに、各識別ＩＤ毎に価値情報（例えば、５０００円、２５００円、１０００円）が関連付けられて記憶されている。したがって、アンテナ装置３０による非接触ＩＣタグ１０の読み取りにより、予め各景品に関連付けられている価値情報を取得することができる。図４は、アンテナ装置３０により読み取られた非接触ＩＣタグ１０のデータを示す一覧表である。本例では、識別ＩＤ別に合計７個（大景品２個、中景品３個、小景品２個）の景品の読み取りにより作成されたデータの一覧表を示している。
【００３０】
以下、図５を参照して、本実施の形態における景品読取装置１ａによる制御処理の詳細について説明する。図５は、実施の形態１に係る景品読取装置１ａにおける制御処理のフローチャートを示している。すなわち、図５のフローチャートに示すように、景品運搬箱２５内に景品が載置されると（ステップＳ１００）、搬送機構２６（図２）により景品換金室内に景品運搬箱２５の搬送がおこなわれる（ステップＳ１１０）。
【００３１】
前述したように、この景品運搬箱２５内には、複数枚の景品（大景品、中景品、小景品）が混在した状態で積載されているものとする。また、景品運搬箱２５が景品用窓口２０の開口部２１を通過した際には、表示部３５（スピーカ３６）から、「いらっしゃいませ」などのアナウンスが表示或いは音声により報知される。
【００３２】
そして、この景品の搬送にともない、アンテナ装置３０により非接触ＩＣタグ１０による景品価値情報が読み取られ（ステップＳ１２０）、ほぼ同時に景品の個数が読み取られる（ステップＳ１３０）。以下、景品情報の読み取りが完了したかの判定により（ステップＳ１４０）、読み取りの完了時には（ステップＳ１４０肯定）、次のステップＳ１５０の処理に移行する。
【００３３】
景品価値情報は、景品価値情報読取部３１により、景品個数情報は、景品個数情報読取部３２によりそれぞれ読み取られ、取得された景品価値情報および景品個数情報は、景品情報として景品情報格納テーブル３４に格納される（ステップＳ１５０）。図６は、景品情報記憶テーブル３４の一例を示している。図６に示すように、景品情報記憶テーブル３４には、アンテナ装置３０により読み取られる各景品（非接触ＩＣタグ）の種類、個数を格納するフィールドが設けられており、本例では、大景品が３個、中景品が４個、小景品が１個（合計８個）の景品の読み取りが一括しておこなわれ、その景品情報が格納されている。
【００３４】
次いで、ステップＳ１２０、１３０により取得された景品情報に基づいて、景品情報算出部３５により総換金額（換金額）が算出さる（ステップＳ１６０）。本例では、景品情報記憶テーブル３４に示すように、算出金額の合計は２６０００円となることを示している。以下、現金入出金機３（図１）による出金処理に移行する。具体的には、係員により出金処理がおこなわれるとともに、出金された現金は、手渡し或いは、自動手段（図示せず）により客に渡される。現金入出金機３による出金処理時、表示部３６には「しばらくお待ちください」などのガイダンスが表示される。
【００３５】
以上のように、本実施の形態１では、アンテナ装置３０により、各景品に設けられた非接触ＩＣタグ１０の景品情報（景品の価値情報、景品の個数情報）を一括して読み取ることができるので、景品交換所における換金処理を円滑且つ正確におこなうことができる。
【００３６】
（実施の形態２）
図７は、実施の形態２に係る景品交換システムの概要を示す図である。図８は、実施の形態２に係る景品交換システムの機能ブロック図である。ここで、上述した実施の形態１は、アンテナ装置により、各景品に設けられた非接触ＩＣタグの景品情報（景品の価値情報、景品の個数情報）を一括して読み取るものであるが、本実施の形態２では、さらに景品の総重量を計測する景品重量計測装置を備えることにより、不良景品の有無を判定可能としたことにある。
【００３７】
すなわち、図７に示すように、景品読取装置１ｂは、景品重量計測装置６０を備えており、この景品重量計測装置６０は、景品交換室内に据置されている。図８に示すように、景品重量計測装置６０は、景品重量計測部６１、景品個数換算部６２、景品情報比較部６３、景品異常判定部６４とを備えている。
【００３８】
景品重量計測部６１は、景品の総重量を実際に計測する機能を有している。景品個数換算部６２は、景品重量計測部６１により計測された景品の総重量に基づいて、実際の景品の個数を算出する機能を備えている。景品情報比較部６３は、非接触ＩＣタグ１０により算出された景品情報に基づく景品個数（第一の景品情報）と景品個数換算部６２により算出される景品個数（第二の景品情報）とを比較する機能を有している。景品異常判定部６４は、景品情報比較部６３により比較された第一の景品情報と第二の景品情報とが一致しない場合に、景品に異常があると判定する機能を有している。
【００３９】
また、本実施の形態２の場合、前記実施の形態１に採用されているトンネル型のアンテナ装置とは異なり、載置式のアンテナ装置が使用され、このアンテナ装置３０ａは、景品重量計測装置６０に備えている。このため、景品が景品重量計測装置６０に載置されると同時に、アンテナ装置３０ａによる非接触ＩＣタグ１０に対する景品情報の取得が可能となる。なお、本例の場合、景品運搬箱２５および搬送機構２６は不要となる。また、景品（大景品、中景品、小景品）の重量は全て均一の重さとしている。以下、一例として、各景品の重さを６ｇとして説明する。
【００４０】
次いで、図９を参照して、本実施の形態２における景品読取装置１ｂによる制御処理の詳細について説明する。図９は、実施の形態２に係る景品読取装置１ｂにおける制御処理のフローチャートを示している。すなわち、図９のフローチャートに示すように、先ず、遊技客により持参された景品が景品用窓口２０の開口部２１を介して、景品換金室内の係員に渡されると（ステップＳ１００）、景品重量計測装置６０により景品の重量計測が開始する（ステップＳ１１１）。ここで、本例では、景品重量計測装置６０により計測された景品の総重量が４８ｇと計測されたものとする。
【００４１】
次いで、ステップＳ１１２により計測された景品の総重量に基づいて、景品の個数を算出する（ステップＳ１１２）。本例では、景品重量計測部６１により算出された景品重量が４８ｇで、景品の重さを６ｇであることから、景品個数換算部６２により景品の個数は８枚（４８ｇ÷６＝８）と算出されるものとなる。この景品８個は、実際の景品数（実景品個数）である。
【００４２】
次いで、この景品重量の計測にともない、景品重量計測装置６０に設けられたアンテナ装置３０ａにより、非接触ＩＣタグ１０による景品価値情報が読み取られ（ステップＳ１２０）、ほぼ同時に景品の個数が読み取られる（ステップＳ１３０）。以下、景品情報の読み取りが完了したかの判定により（ステップＳ１４０）、読み取りの完了時には（ステップＳ１４０肯定）、取得された景品情報は、景品情報記憶テーブル３４ａに格納される（ステップＳ１５０）。
【００４３】
図１０は、景品情報記憶テーブル３４ａを示している。この景品情報記憶テーブル３４ａは、前記景品情報記憶テーブル３４ａのフィールドに単位重量の設定部を追加したものであり、前述したように、各景品の重さは６ｇに設定されている。本例では、景品情報記憶テーブル３４ａに示すように、非接触ＩＣタグ１０の読み取りにより景品合計枚数が７枚（大景品が３枚、中景品が２枚、小景品が２枚）であるため、景品の合計重量は、４２ｇと算出されたものとする。
【００４４】
以下、実景品個数と景品個数情報とが一致しているかの判定をおこなう（ステップＳ１５５）。そして、このステップＳ１５５の判定により、各景品の実景品個数と景品個数情報とが一致している場合は（ステップＳ１５５肯定）、そのまま現金の換金処理に移行し全ての処理が終了となる（エンド）。
【００４５】
そして、本例に示すように、ステップＳ１５５の判定により、実景品個数と景品個数情報とが一致しない場合には（ステップＳ１５５否定）、各景品種類別に再度の計数処理をおこなう（ステップＳ１８０）。具体的には、実景品個数と景品個数情報とが一致しない場合、景品（非接触ＩＣタグ１０）の読み取り不良があると推測されるため、景品種類別（金種別）に再度の計数をおこなう（選別処理）。
【００４６】
一方、ステップＳ１５５の判定により、実景品個数と景品個数情報とが一致している場合には（ステップＳ１５５肯定）ステップＳ１２０、１３０により取得された景品情報に基づいて、総換金額（換金額）を算出し（ステップＳ１６０）、以下、現金入出金機３（図１）による出金処理をおこなう（ステップＳ１７０）。
【００４７】
以上のように、本実施の形態２の場合には、景品重量計測装置６０を備えるとともに、非接触ＩＣタグ１０により算出された景品情報に基づく景品個数（第一の景品情報）と景品個数換算部６２により算出された実際の景品個数（第二の景品情報）とを比較することにより、第一の景品情報と第二の景品情報とが一致しない場合に、景品（非接触ＩＣタグ１０）に何らかの異常があると判定することができるので、不良景品の有無を迅速に且つ正確に判定することができる。
【００４８】
（実施の形態３）
図１１は、実施の形態３に係る景品交換システムを示す機能ブロック図である。上述した実施の形態２は、景品の総重量を計測する景品重量計測装置を備えることにより、不良景品の有無を判定するものであるが、本実施の形態３では、景品個数情報読取部３２により算出された景品の個数情報に基づいて、景品の総重量を換算値として算出することにより、実際の景品総重量値と比較し、不良景品の種類を特定する異常景品特定部６７を備えている。このため、本例の場合、各景品の重量値は種類別に相違させている。以下の説明では、一例として、大景品は７ｇ、中景品は６ｇ、小景品は、５ｇとして説明する。
【００４９】
すなわち、図１１に示すように、景品重量計測装置６０ａは、景品重量計測部６１、景品個数換算部６２、景品情報比較部６３、景品異常判定部６４、景品重量換算部６５、実景品個数算出部６６、異常景品特定部６７とを備えている。景品重量換算部６５は、非接触ＩＣタグ１０の読み取りにより取得された景品の個数情報から景品の総重量を換算する機能を有している。
【００５０】
実景品個数算出部６６は、景品重量計測部６１により計測された実際の景品総重量（第一の景品重量）と景品重量換算部６５により算出された景品総重量（第二の景品重量）とを景品情報比較部６３により比較するとともに、実際の景品個数を算出する機能を有している。異常景品特定部６７は、第一の景品重量と第二の景品重量との差異に基づいて、不良景品の種別を特定する機能を有している。
【００５１】
図１２は、本実施の形態３に係る制御手順のフローチャートを示している。すなわち、図１２のフローチャートに示すように、遊技客により持参された景品が景品用窓口２０の開口部２１を介して、係員に渡されると（ステップＳ１００）、景品重量計測装置６０ａに設けたアンテナ装置３０ｂにより、非接触ＩＣタグ１０の景品価値情報が読み取られ（ステップＳ１２０）、ほぼ同時に、景品の個数情報が読み取られる（ステップＳ１３０）。以下、景品情報の読み取りが完了したかの判定により（ステップＳ１４０）、読み取りの完了時には（ステップＳ１４０肯定）、取得された景品情報は、景品情報記憶テーブル３４ｂに格納される。
【００５２】
図１３は、景品情報が格納された景品情報記憶テーブル３４ｂを示している。本例では、前述したように各景品の単位重量値は、種類別にそれぞれ設定されている（大景品は７ｇ、中景品は６ｇ、小景品は、５ｇ）。そして、本例では、同図に示すように、大景品が２個、中景品が２個、小景品が４個（合計、８個）とする景品個数データが格納されている。
【００５３】
図１２のフローチャートに戻り、ステップＳ１２０、１３０により読み取られた景品情報に基づいて、景品の個数情報により景品の総重量値を換算により算出する（ステップＳ１５１）。本例では、景品情報記憶テーブル３４ｂに基づいて、大景品が２個、中景品が２個、小景品が４個であることから、景品の総重量（重量換算値）が４６ｇ（２×７ｇ＋２×６ｇ＋４×５ｇ＝４６ｇ）と算出される。
【００５４】
次いで、景品重量計測装置６０ａにより景品の総重量の計測をおこなう（ステップＳ１５２）。ここで、本例では、この景品重量計測装置６０ａにより実際に計測された景品の総重量を５２ｇとする。以下、ステップＳ１５１により算出された景品の総重量（換算値）とステップＳ１５２により計測された景品の総重量（実計測値）とが一致するかの判定をおこなう（ステップＳ１５３）。
【００５５】
この判定により換算値と実計測値とが一致しない場合は（ステップＳ１５３否定）、景品に読み取り不良などがあるとして、景品異常とし、ステップＳ１８５の処理に移行する。このステップＳ１８５の処理は、不良とされる景品の種類を特定する処理である。
【００５６】
具体的には、景品重量計測装置６０ａにより実際に計測された景品の総重量（実計測値）と非接触ＩＣタグ１０の読み取りにより算出された景品の総重量（換算重量値）との差（減算値）を算出し、この差分に基づいて不良である景品の種類を判定する。本例では、実計測値（５２ｇ）−換算値（４６ｇ）＝６ｇにより、この６ｇが該当する中景品に不良（読み取り不良）があると推定することができる。この読み取り不良が生じた中景品は、取り除かれ、以降の景品交換には使用されないものとなる。
【００５７】
一方、ステップＳ１５３の判定により、実総重量値と換算重量値とが一致している場合には（ステップＳ１５３肯定）ステップＳ１２０、１３０により取得された景品情報に基づいて、総換金額（換金額）を算出し（ステップＳ１６０）、以下、現金入出金機３（図１）による出金処理をおこなう（ステップＳ１７０）。
【００５８】
以上のように、本実施の形態３の場合には、景品重量計測装置６０ｂを備えるとともに、非接触ＩＣタグ１０により算出された景品情報に基づく景品重量（第一の景品重量）と景品重量換算部６５により算出される実際の景品重量（第二の景品重量）とを比較することにより第一の景品重量と第二の景品重量とが一致しない場合に、景品（非接触ＩＣタグ１０）に異常があると判定するとともに、実際に計測された景品の総重量（実計測値）と非接触ＩＣタグ１０の読み取りにより算出された景品の総重量（換算値）との差により、不良景品の種類を容易に抽出することができる。
【００５９】
【発明の効果】
以上説明したように、請求項１に記載の本発明によれば、複数の景品を識別することにより、景品情報を取得する景品読取装置を備え、当該景品読取装置により取得された景品情報に基づいて換金をおこなう景品交換システムであって、前記景品の内部には、当該景品の種類に対応するとともに、それぞれ価値情報が関連付けられた非接触ＩＣタグが設けられ、前記景品読取装置は、前記景品のそれぞれに設けられた非接触ＩＣタグの価値情報を一括して読み取る景品価値情報読取手段と、前記景品の個数を一括して読み取る景品個数読取手段と、を有するアンテナ装置と、前記アンテナ装置による景品情報の読み取り結果に基づいて、景品の種類および個数を算出する景品情報算出手段と、を備えるので、アンテナ装置により、各景品に設けられた非接触ＩＣタグの景品の価値情報および景品の個数情報を一括して読み取ることができることから、景品交換所における換金処理を迅速に且つ正確におこなうことができるという効果を奏する。また、景品の価値情報としてバーコードを使用しないため、印刷品質および印刷部分の折れや剥がれなどによる読み取り不良を回避することができる。
【００６０】
また、請求項２に記載の発明によれば、請求項１に記載の発明において、前記アンテナ装置は、景品の受け渡し位置に設けられるとともに、受け渡し途中に、前記アンテナ装置による景品情報の読み取りがおこなわれるので、景品交換所における換金処理を迅速に且つ正確におこなうことができるという効果を奏する。
【００６１】
また、請求項３に記載の発明によれば、請求項１または２に記載の発明において、前記景品の総重量を実際に計測する景品重量計測手段と、当該景品計測手段により計測された景品の総重量に基づいて、景品個数を算出する景品個数換算手段と、当該景品個数換算手段により算出された第一の景品個数情報と前記景品情報算出手段により算出された第二の景品個数情報とを比較する景品個数比較手段とをさらに備えるので、アンテナ装置により、各景品に設けられた非接触ＩＣタグの景品の価値情報および景品の個数情報を一括して読み取ることができるうえ、不良景品の有無を迅速に且つ正確に判定することができるという効果を奏する。
【００６２】
また、請求項４に記載の発明によれば、請求項３に記載の発明において、前記第一の景品個数情報と第二の景品個数情報とが一致しない場合に、景品に異常があると判定する景品異常判定手段をさらに備えるので、不良景品の異常を正確に判定することができるという効果を奏する。
【００６３】
また、請求項５に記載の発明は、請求項１または２に記載の発明において、前記景品の種類別に各景品毎の重量を設定する景品重量設定手段と、前記景品個数読取手段により算出された景品の個数に基づいて、景品の総重量を算出する景品重量換算手段と、前記景品の総重量を実際に計測する景品重量計測手段と、前記景品重量換算手段により算出された景品重量を第一の景品重量とし、前記景品重量計測手段により計測された景品重量を第二の景品重量とし、これら第一の景品重量と第二の景品重量との比較をおこなう景品重量比較手段と、当該景品重量比較手段による比較結果に基づいて実際の景品個数を算出する実景品個数算出手段とをさらに備えるので、アンテナ装置により、各景品に設けられた非接触ＩＣタグの景品の価値情報および景品の個数情報を一括して読み取ることができるうえ、景品の個数を迅速に且つ正確におこなうことができるという効果を奏する。
【００６４】
また、請求項６に記載の発明は、請求項５に記載の発明において、前記第一の景品重量と第二の景品重量との差異に基づいて、異常景品の種類を特定する異常景品特定手段とをさらに備えるので、アンテナ装置により、各景品に設けられた非接触ＩＣタグの景品の価値情報および景品の個数情報を一括して読み取ることができるうえ、不良景品の種類を迅速に且つ正確に判定することができるという効果を奏する。
【００６５】
また、請求項７に記載の発明は、請求項１〜６のいずれか一つに記載の発明において、前記景品読取装置により読み取った景品の種類、景品の個数、景品情報により算出される換金合計金額を表示する表示手段をさらに備えるので、景品の種類、景品の個数、換金合計金額を容易に把握でき、換金処理を迅速且つ正確におこなうことができるという効果を奏する。
【００６６】
また、請求項８に記載の発明は、請求項１〜７のいずれか一つに記載の発明において、前記景品情報算出手段により算出された景品情報に基づいて、換金額の算出および出金をおこなう現金出金機をさらに備えるので、景品交換所における景品の換金処理（取引時間）を迅速且つ正確におこなうことができるという効果を奏する。
【図面の簡単な説明】
【図１】本実施の形態１に係る景品交換システムの概略を示す全体構成図である。
【図２】本実施の形態１に係る景品交換システムの機能ブロック図である。
【図３】（ａ）は、非接触ＩＣタグの構成を示す斜視図、（ｂ）は、断面図である。
【図４】アンテナ装置により読み取られた非接触ＩＣタグ情報（識別ＩＤ別）の一例を示す図表である。
【図５】本実施の形態１による制御処理手順を示すフローチャートである。
【図６】景品情報記憶テーブルを示す図である。
【図７】本実施の形態２に係る景品交換システムの概略を示す全体構成図である。
【図８】本実施の形態２に係る景品交換システムの機能ブロック図である。
【図９】本実施の形態２による制御処理手順を示すフローチャートである。
【図１０】景品情報記憶テーブルを示す図である。
【図１１】本実施の形態３に係る景品交換システムの機能ブロック図である。
【図１２】本実施の形態３による制御処理手順を示すフローチャートである。
【図１３】景品情報記憶テーブルを示す図である。
【図１４】従来の景品交換システムおよび景品読取装置を示す概略構成図である。
【符号の説明】
１、１ａ、１ｂ  景品読取装置
２  入出金管理機（ＰＯＳ）
３  現金出金機
３ａ  操作部
３ｂ  出金制御部
３ｃ、３６  表示部
４  繰出し部
５  識別部
６  搬送部
７  収納部
１０  非接触ＩＣタグ
１３  ＩＣチップ
１４  アンテナ回路
１５  表面基材
１６  保護シート
２０  景品用窓口
２１  開口部
２５  景品運搬箱
２６  搬送機構
３０、３０ａ  アンテナ装置
３１  景品価値情報読取部
３２  景品個数情報読取部
３４、３４ａ、３４ｂ  景品情報記憶テーブル
３５  景品情報算出部
３７  スピーカ
６０、６０ａ  景品重量計測装置
６１  景品重量計測部
６２  景品個数算出部
６３  景品情報比較部
６４  景品異常判定部
６５  景品重量換算部
６６  実景品個数算出部
６７  異常景品特定部
【図１】
2004351087.tif 000003
【図２】
2004351087.tif 000004
【図３】
2004351087.tif 000005
【図４】
2004351087.tif 000006
【図５】
2004351087.tif 000007
【図６】
2004351087.tif 000008
【図７】
2004351087.tif 000009
【図８】
2004351087.tif 000010
【図９】
2004351087.tif 000011
【図１０】
2004351087.tif 000012
【図１１】
2004351087.tif 000013
【図１２】
2004351087.tif 000014
【図１３】
2004351087.tif 000015
【図１４】
2004351087.tif 000016